(57)【要約】【課題】難分解性化学的酸素要求量（ＣＯＤ）及び生物化学的酸素要求量（ＢＯＤ）を高負荷で処理可能な排水処理装置を提供する。【解決手段】有機物を含有する溶液が導入され、有機物を分解する分散菌が投入される分散菌槽１と、分散菌槽１で処理された溶液が導入され、残存する有機物を分解する微生物が付着している複数の粒子状の担体、及び分散菌を捕食する捕食生物が投入される、流動床式バイオリアクター槽２と、を備える、排水処理装置を提供する。【選択図】図１
2011092811.tif 000002
【特許請求の範囲】
【請求項１】
有機物を含有する溶液が導入され、前記有機物を分解する分散菌が投入される分散菌槽と、
前記分散菌槽で処理された溶液が導入され、残存する前記有機物を分解する微生物が付着している複数の粒子状の担体、及び前記分散菌を捕食する捕食生物が投入される、流動床式バイオリアクター槽と、
を備える排水処理装置。
【請求項２】
バルキング防止剤を前記分散菌槽に供給するバルキング防止剤供給装置を更に備える、請求項１に記載の排水処理装置。
【請求項３】
前記流動床式バイオリアクター槽に導入される溶液から窒素を除去する脱窒槽を更に備える、請求項１乃至３のいずれか１項に記載の排水処理装置。
【請求項４】
前記流動床式バイオリアクター槽において、重力方向の反対方向に前記溶液中の酸素濃度が低下し、
前記流動床式バイオリアクター槽の上方から前記酸素濃度が低い溶液が前記脱窒槽に導入される、請求項４に記載の排水処理装置。
【請求項５】
前記脱窒槽に脱窒菌が投入され、
前記分散菌槽で処理される前の溶液の一部が、前記脱窒菌の炭素源として、前記脱窒槽に導入される、請求項４又は５に記載の排水処理装置。
【請求項６】
前記脱窒槽に設けられた、前記溶液を攪拌する攪拌手段を更に備える、請求項４乃至６のいずれか１項に記載の排水処理装置。
【請求項７】
前記流動床式バイオリアクター槽に導入される溶液に酸素を供給する酸素供給装置を更に備える、請求項１乃至７のいずれか１項に記載の排水処理装置。
【請求項８】
前記酸素供給装置で酸素を供給された溶液が、前記流動床式バイオリアクター槽の底部から前記流動床式バイオリアクター槽の内部に注入され、前記流動床式バイオリアクター槽の内部に貯蔵された溶液に、重力方向とは反対方向の流れが形成される、請求項８に記載の排水処理装置。
【請求項９】
前記分散菌槽に滞留する前記溶液に酸素を供給する酸素供給ブロワを更に備える、請求項１乃至９のいずれか１項に記載の排水処理装置。
【請求項１０】
前記複数の担体のそれぞれが活性炭である、請求項１乃至１０のいずれか１項に記載の排水処理装置。
【請求項１１】
前記活性炭の平均粒径が０．３乃至１ｍｍである、請求項１１に記載の排水処理装置。
【請求項１２】
有機物を含有する溶液を分散菌槽に導入するステップと、
前記分散菌槽内の分散菌により、前記有機物を分解するステップと、
前記分散菌槽で処理された溶液を流動床式バイオリアクター槽に導入するステップと、
前記流動床式バイオリアクター槽内の複数の粒子状の担体に付着している微生物によって、前記溶液中に残存する前記有機物を分解するステップと、
前記流動床式バイオリアクター槽内の捕食生物に前記溶液中の前記分散菌を捕食させるステップと、
を含む、排水処理方法。
【請求項１３】
前記分散菌槽内の分散菌により、前記有機物を分解するステップにおいて、前記分散菌槽における前記溶液の滞留時間が、２乃至５時間である、請求項１３に記載の排水処理方法。
【発明の詳細な説明】
【技術分野】
【０００１】
本発明は、環境技術に係り、排水処理装置及び排水処理方法に関する。
【背景技術】
【０００２】
従来、排水処理方法として活性汚泥法が広く用いられている（例えば、特許文献１、２参照。）。しかし、活性汚泥法単独では、難分解性で化学的酸素要求量（ＣＯＤ：Ｃｈｅｍｉｃａｌ  Ｏｘｙｇｅｎ  Ｄｅｍａｎｄ）を高める要因となる成分（以下において「難分解性ＣＯＤ成分」という。）を含有する排水を処理できない。そのため  事前にオゾン酸化、過酸化水素添加、及び紫外線（ＵＶ）照射等で難分解性ＣＯＤ成分を分解した後、排水を活性汚泥法で処理する方法、あるいは排水を活性汚泥法で処理した後、活性炭吸着法により処理液から難分解性ＣＯＤ成分を除去する方法がとられている。しかし、これらの方法はいずれも初期コスト、及びランニングコストが増大する傾向にある。
【０００３】
また、難分解性ＣＯＤ成分を除去する方法として、流動床式バイオリアクター法がある。流動床式バイオリアクター法では、微生物の担体としての活性炭が投入された流動床式バイオリアクター槽と、循環曝気槽と、が使用される。流動床式バイオリアクター槽は、導入された排水に上向流を発生させ、排水内に活性炭を浮遊させる。循環曝気槽は、溶存酸素が飽和濃度付近になるよう、循環水を曝気する。酸素を高濃度で含む循環水は、排水と混合され、流動床式バイオリアクター槽へ移送される。これにより、流動床式バイオリアクター槽内に酸素が供給される。
【０００４】
循環水は、活性炭が流動床式バイオリアクター槽からリークしない程度の低流速で流動床式バイオリアクター槽に供給される。そのため、活性汚泥法と異なり、流動床式バイオリアクター槽内は層流状態の非常にマイルドな環境となっている。よって、活性炭表面に多種多様なバクテリアや原生動物が存在できるので、活性汚泥法で処理困難な難分解性ＣＯＤ成分も分解することが可能となる。
【先行技術文献】
【特許文献】
【０００５】
【特許文献１】特公昭５６−４８２３５号公報
【特許文献２】特許第３０３５５６９号公報
【発明の概要】
【発明が解決しようとする課題】
【０００６】
しかし、流動床式バイオリアクター槽は難分解性ＣＯＤ成分を分解可能であっても、高負荷ＣＯＤ又は高負荷ＢＯＤ(生物化学的酸素要求量：Ｂｉｏｃｈｅｍｉｃａｌ  Ｏｘｙｇｅｎ  Ｄｅｍａｎｄ）処理に問題があった。そこで、本発明は、化学的酸素要求量（ＣＯＤ）及び生物化学的酸素要求量（ＢＯＤ）を高負荷で処理可能な排水処理装置及び排水処理方法を提供することを目的の一つとする。
【課題を解決するための手段】
【０００７】
本発明の態様は、有機物を含有する溶液が導入され、有機物を分解する分散菌が投入される分散菌槽と、分散菌槽で処理された溶液が導入され、残存する有機物を分解する微生物が付着している複数の粒子状の担体、及び分散菌を捕食する捕食生物が投入される、流動床式バイオリアクター槽と、を備える排水処理装置であることを要旨とする。
【０００８】
本発明の他の態様は、有機物を含有する溶液を分散菌槽に導入するステップと、分散菌槽内の分散菌により、有機物を分解するステップと、分散菌槽で処理された溶液を流動床式バイオリアクター槽に導入するステップと、流動床式バイオリアクター槽内の複数の粒子状の担体に付着している微生物によって、溶液中に残存する有機物を分解するステップと、流動床式バイオリアクター槽内の捕食生物に溶液中の分散菌を捕食させるステップと、を含む、排水処理方法であることを要旨とする。
【発明の効果】
【０００９】
本発明によれば、難分解性化学的酸素要求量（ＣＯＤ）及び生物化学的酸素要求量（ＢＯＤ）を高負荷で処理可能な排水処理装置及び排水処理方法を提供可能である。
【図面の簡単な説明】
【００１０】
【図１】本発明の第１の実施の形態に係る排水処理装置の模式図である。
【図２】本発明の第１の実施の形態の比較例に係る排水処理装置の模式図である。
【図３】本発明の第１の実施の形態の変形例に係る排水処理装置の模式図である。
【図４】本発明の第２の実施の形態に係る排水処理装置の模式図である。
【図５】本発明の第３の実施の形態に係る排水処理装置の模式図である。
【発明を実施するための形態】
【００１１】
以下に本発明の実施の形態を説明する。以下の図面の記載において、同一又は類似の部分には同一又は類似の符号で表している。但し、図面は模式的なものである。したがって、具体的な寸法等は以下の説明を照らし合わせて判断するべきものである。また、図面相互間においても互いの寸法の関係や比率が異なる部分が含まれていることは勿論である。
【００１２】
（第１の実施の形態）
第１の実施の形態に係る排水処理装置は、図１に示すように、有機物を含有する溶液が導入され、有機物を分解する分散菌（非凝集性細菌）が投入される分散菌槽１と、分散菌槽１で処理された溶液が導入され、残存する有機物を分解する微生物が付着している数の粒子状の担体、及び分散菌を捕食する捕食生物が投入される、流動床式バイオリアクター槽２と、を備える。
【００１３】
分散菌槽１には、パイプ１１を介して、有機物を含有する溶液が供給される。有機物を含有する溶液としては、化学工場、電子機械部品工場、建材工場、及び塗料工場等から排出される、易分解性有機物と難分解性有機物とが混在する排水が挙げられる。ここで、易分解性有機物とは、分散菌で分解されやすく、溶液の生物化学的酸素要求量（ＢＯＤ：Ｂｉｏｃｈｅｍｉｃａｌ  Ｏｘｙｇｅｎ  Ｄｅｍａｎｄ）を高める要因となりうる有機物をいう。易分解性有機物は、ＢＯＤ成分ともいう。また、難分解性有機物とは、分散菌で分解されにくく、溶液の化学的酸素要求量（ＣＯＤ：Ｃｈｅｍｉｃａｌ  Ｏｘｙｇｅｎ  Ｄｅｍａｎｄ）を高める要因となりうる有機物をいう。難分解性有機物は、難分解性ＣＯＤ成分ともいう。なお、排水は着色されていてもよい。
【００１４】
分散菌槽１内に投入される分散菌としては、アルカリゲネス（Ａｌｃａｌｉｇｅｎｅｓ）属、及びアシネトバクター（Ａｃｉｎｅｔｏｂａｃｔｏｒ）属等が使用可能である。なお、分散菌槽１に、単離した分散菌を投入する必要はなく、活性汚泥等を投入することにより、分散菌を投入してもよい。分散菌槽１は、有機物を含有する溶液を２乃至５時間滞留させる。有機物を含有する溶液が分散菌槽１に２乃至５時間滞留されている間、分散菌が、例えば溶液中の易分解性有機物の７０％程度を分解する。そのため、分散菌槽１において、溶液のＢＯＤが低下する。なお、分散菌槽１内に有機物を含有する溶液を滞留させる時間を２乃至５時間とすることにより、分散菌を捕食する原生動物が分散菌槽１内で成長することを抑制することが可能となる。
【００１５】
分散菌槽１には、分散菌槽１に滞留する溶液に酸素を供給する酸素供給ブロワ２１が接続されている。好ましくは、分散菌槽１にゴム製メンブレン散気管やＯＨＲ式散気管等を介して酸素供給ブロワ２１を接続することにより、分散菌槽１に滞留する溶液に微細気泡の酸素を供給することが可能となり、分散菌による溶存酸素の消費効率を上昇させることが可能となる。
【００１６】
分散菌槽１で処理された溶液は、分散菌槽１に接続されたパイプ１２、パイプ１２に接続されたパイプ１３、パイプ１３に接続された吸引ポンプ２２、及び吸引ポンプ２２に接続されたパイプ１４を介して、流動床式バイオリアクター槽２の底部から、流動床式バイオリアクター槽２の内部に注入される。流動床式バイオリアクター槽２の底部から溶液を注入することによって、流動床式バイオリアクター槽２の内部に溶液が貯蔵される。さらに、流動床式バイオリアクター槽２の底部から上方に重力方向とは反対に向かう流れが、流動床式バイオリアクター槽２の内部に貯蔵された溶液中に形成される。形成された流れによって、複数の粒子状の担体が溶液中に分散し、粒子分散層３０を形成する。
【００１７】
分散菌槽１で処理され流動床式バイオリアクター槽２に注入された溶液は、分散菌と、分散菌で分解されなかった難分解性ＣＯＤ成分と、を含む。分散菌は、流動床式バイオリアクター槽２内に投入された原生動物（フィロディナ、ボルティセラ、及びアスピディスカ等）や後生動物（ネマトーダ、Ａｅｏｌｏｓｏｍａ等のミミズ）等の捕食生物によって捕食される。捕食生物による食物連鎖等により、余剰汚泥の発生量が減少するため、流動床式バイオリアクター槽において清澄な処理水が得られる。また、難分解性ＣＯＤ成分は、流動床式バイオリアクター槽２内の溶液中に分散された複数の粒子状の担体に付着する。複数の粒子状の担体のそれぞれには、活性炭が使用可能である。複数の粒子状の活性炭に付着した難分解性ＣＯＤ成分は、複数の粒子状の活性炭に付着しているヒュードモナス属(Ｐｓｅｕｄｏｍｏｎａｓ)、バチルス属(Ｂａｃｉｌｌｕｓ)、及びズーグレア属（Ｚｏｏｇｌｏｅａ）等のバクテリア、並びに原生動物等の微生物によって徐々に生分解される。そのため、流動床式バイオリアクター槽２において、溶液の化学的酸素要求量（ＣＯＤ：Ｃｈｅｍｉｃａｌ  Ｏｘｙｇｅｎ  Ｄｅｍａｎｄ）が低下する。
【００１８】
流動床式バイオリアクター槽２の内部の溶液に形成される流れの速さは、５乃至４０ｍ／時間である。流れの速さが５ｍ／時間より遅いと、複数の粒子状の活性炭の分散が不充分となり、複数の粒子状の活性炭が凝集する場合がある。また、流れの速さが４０ｍ／時間より速いと、複数の粒子状の活性炭が流動床式バイオリアクター槽２から排出される場合がある。流れの速さを５乃至４０ｍ／時間とすることにより、流れがない場合と比較して、複数の粒子状の活性炭は、流動床式バイオリアクター槽２の底面から１．２乃至１．５倍程度の高さまで浮遊分散される。
【００１９】
複数の粒子状の活性炭のそれぞれの粒径は、０．３乃至１．０ｍｍが好ましい。活性炭の粒径が０．３ｍｍより小さい場合、複数の粒子状の活性炭の総表面積が増えるため、多数の微生物を複数の粒子状の活性炭の表面に付着させることが可能となる。しかし、微生物の量が多くなると、微生物に消費される酸素の供給量を増やす必要も生じ得る。酸素の供給量を増やすために、流動床式バイオリアクター槽２の内部の溶液の流れの速さを速くすると、複数の粒子状の活性炭が流動床式バイオリアクター槽２から排出されるため好ましくない。
【００２０】
また、活性炭の粒径が１．０ｍｍより大きい場合、複数の粒子状の活性炭の総表面積が減少するため、複数の粒子状の活性炭の表面に付着する微生物の数も減少する傾向にある。また、微生物の数が減少すると、微生物に消費される酸素の供給量も減少するが、活性炭の粒径が１．０ｍｍより大きいと、それぞれの活性炭の質量が増すため、流動床式バイオリアクター槽２の内部の溶液の流れの速さを速くする必要が生じ得る。そのため、吸引ポンプ２２の消費エネルギが不必要に上昇するので好ましくない。なお、粒子状の活性炭は、球状である必要はなく、変形していてもよい。
【００２１】
流動床式バイオリアクター槽２に含まれる溶液のうち、複数の粒子状の活性炭が分散していない上澄み液は、パイプ１５を介して、酸素供給装置としての曝気槽３に流される。曝気槽３において、酸素供給ブロワ２３から空気が溶液中に吹き込まれ、溶液中に酸素が供給される。曝気槽３においてほぼ飽和酸素濃度状態となった溶液は、曝気槽３に接続されたパイプ１３、吸引ポンプ２２、及びパイプ１４を介して、流動床式バイオリアクター槽２に再び注入される。したがって、酸素を供給された溶液が、流動床式バイオリアクター槽２と、曝気槽３と、を循環する。また、曝気槽３から、溶液の一部が、パイプ１６を介して、処理済みの溶液として河川等に放流される。
【００２２】
ここで、図２に示すように、流動床式バイオリアクター槽２の上流に分散菌槽が設置されなかった場合、ＣＯＤのみならずＢＯＤも高い溶液が流動床式バイオリアクター槽２に直接注入される。この場合、分散菌槽を設置した場合と比較して、流動床式バイオリアクター槽２に導入される溶液の酸素要求量が極めて高くなる。そのため、流動床式バイオリアクター槽２の底部の活性炭に付着した微生物が急激に成長し、サッカーボール大の活性炭の凝集物が発生する場合がある。また、活性炭の凝集物が生じると、流動床式バイオリアクター槽２内に形成される溶液の上昇流の均一性が阻害されて偏流が生じ、活性炭の均一な分散が妨げられ得る。さらに、粒子分散層３０と上澄みとの界面が上昇し、活性炭が流動床式バイオリアクター槽２から排出されるおそれもある。
【００２３】
また、ＢＯＤが高い溶液が注入されると、流動床式バイオリアクター槽２内の溶液の溶存酸素が不足するようになる。特に、流動床式バイオリアクター槽２の底部付近において、溶液の溶存酸素が著しく不足するようになる。そのため、吸引ポンプ２２による曝気槽３からの溶液の供給速度をあげる必要が生じるため、吸引ポンプ２２の消費電力等が増加する場合がある。
【００２４】
これに対し、図１に示す第１の実施の形態に係る排水処理装置は、流動床式バイオリアクター槽２の上流に設置された分散菌槽１で易分解性有機物のほとんどが分解される。そのため、流動床式バイオリアクター槽２に導入される溶液のＢＯＤが低いため、流動床式バイオリアクター槽２内での酸素不足、糸状菌の発生、及び活性炭の凝集等の問題が生じにくくなる。そのため、分散菌槽１に導入される前の溶液のＣＯＤ及びＢＯＤが高い場合でも、長期にわたって安定な運転が可能となる。さらに、活性炭の凝集が生じない範囲で、流動床式バイオリアクター槽２内に形成される溶液の流れの速度を低下させることが可能となるため、吸引ポンプ２２の消費電力を低減することも可能となる。
【００２５】
（第１の実施の形態の変形例）
図１に示す第１の実施の形態に係る排水処理装置においては、分散菌槽１で処理された溶液は、流動床式バイオリアクター槽２に供給される。これに対し、図３に示すように、分散菌槽１で処理された溶液を、曝気槽３に供給してもよい。図３に示す排水処理装置によっても、図１に示す排水処理装置と同様の効果を得ることが可能となる。
【００２６】
（第２の実施の形態）
第２の実施の形態に係る排水処理装置は、図４に示すように、糸状菌の発生によるバルキングを防止するバルキング防止剤を分散菌槽１に供給するバルキング防止剤供給装置４０をさらに備える。分散菌槽１内の溶液中のＢＯＤ成分、窒素成分、及びリン成分の比が１００：５：１に保たれている場合、糸状菌は発生しにくい。しかし、工場等から分散菌槽１に導入される溶液のＢＯＤ成分の濃度は逐次変化するため、栄養塩バランス崩れ等により分散菌槽１に糸状菌が発生する場合がある。
【００２７】
これに対し、バルキング防止剤供給装置４０から糸状菌溶菌作用のあるバルキング防止剤を分散菌槽１に供給することにより、分散菌槽１におけるバルキングの発生を抑制することが可能となる。市販のバルキング防止剤としては、日鉄環境エンジニアリング株式会社製「バルヒビター」ＫＥＬ２２５及びＫＥＸ２５０シリーズ等が使用可能である。バルキング防止剤の分散菌槽１への投入量は、分散菌槽１内の溶液量に対して、例えば１乃至５ｐｐｍ程度である。
【００２８】
（第３の実施の形態）
図４に示す流動床式バイオリアクター槽２において、溶液中のアンモニア態窒素は、ニトロソモナス属等のアンモニア酸化菌及びニトロバクター属等の亜硝酸酸化菌を含む好気バクテリアである硝化細菌によって硝化され、硝酸態窒素になる。さらに硝酸態窒素は、活性炭に付着している通性嫌気菌等の脱窒細菌によって形成された菌層の内部の無酸素領域で脱窒され、窒素ガス等になる。しかし、分散菌槽１に導入される溶液の窒素成分が多い場合、窒素成分が流動床式バイオリアクター槽２に残留し、全窒素（Ｔ−Ｎ）濃度が低下しない場合がある。
【００２９】
これに対し、第３の実施の形態に係る排水処理装置は、図５に示すように、流動床式バイオリアクター槽２に導入される溶液から窒素を除去する脱窒槽４をさらに備える。脱窒槽４には脱窒菌を保持する担体が投入される。脱窒菌としては、一般的に汚泥中に数多く存在する通性嫌気性菌が利用可能であり、例えばヒュードモナス属（Ｐｓｅｕｄｏｍｏｎａｓ）等が挙げられる。脱窒菌は、ＮＯ2及びＮＯ3の酸素成分を酸素呼吸源として利用し、Ｎ2ガス化させる。また、酸素は水素と結合され、Ｈ2Ｏとして放出される。脱窒菌を保持する担体としては、固定担体及び流動担体が使用可能である。例えば、脱窒槽４の容積に対して、４０％程度の安価なスポンジ担体が投入される。スポンジ担体としては、例えば、アキレス株式会社のＳＱＡやＫＩ等が使用可能である。
【００３０】
脱窒槽４内部に脱窒反応を抑制する酸素が導入されるのは好ましくない。また、酸化還元電位として−５０ｍＶ以下が必要である。ここで、流動床式バイオリアクター槽２の内部において、溶液中の酸素は下方の粒子分散層３０で主に消費される。そのため、溶液中の酸素濃度は、重力方向の反対方向に進むにつれて低下していく。そのため、脱窒槽４には、流動床式バイオリアクター槽２の上方の酸素濃度が低い溶液が、流動床式バイオリアクター槽２の上方に接続されたパイプ１７、パイプ１７に接続された吸引ポンプ２４、及び吸引ポンプ２４に接続されたパイプ１８を介して導入される。なお、パイプ１８は、脱窒槽４の底部に接続されている。
【００３１】
また、脱窒槽４には、分散菌槽１で処理される前の溶液の一部が、パイプ１１と吸引ポンプ２４とを接続するパイプ１９を介して、導入される。分散菌槽１で処理される前の溶液は、ＢＯＤ成分が分解されずに含まれている。分散菌槽１において、分散菌槽１で処理される前の溶液が、流動床式バイオリアクター槽２の上方から来た酸素濃度が低い溶液と混合される。分散菌槽１で処理される前の溶液に含まれていたＢＯＤ成分は、脱窒菌の水素供与体として利用される。なお、パイプ１９から脱窒槽４に導入される溶液の量は、流動床式バイオリアクター槽２の上方から来た溶液の全窒素（Ｔ−Ｎ）に対してＢＯＤ成分の量が３倍となるよう、設定される。また、このＢＯＤ成分が不足する場合は メタノール等を脱窒菌の水素供与体として脱窒槽４にさらに注入してもよい。
【００３２】
パイプ１８から脱窒槽４に注入された溶液は、脱窒槽４の底部から重力方向の反対方向に流れを形成する。脱窒槽４における溶液の滞留時間は４時間程度である。脱窒槽４には、攪拌用のモーターに接続された攪拌板等の攪拌手段６１が設置されている。攪拌手段６１は、脱窒槽４内部の溶液を穏やかに攪拌して、発生した窒素の気泡の脱泡を行うとともに担体の沈降を防止する。脱窒が終了した脱窒槽４の上部の溶液は、脱窒槽４と曝気槽３とを接続するパイプ５１を介して、曝気槽３に流される。
【００３３】
例えば分散菌槽１で処理される前の溶液の全窒素（Ｔ−Ｎ）濃度が３０乃至４０ｐｐｍ程度であった場合、脱窒槽４を設けることにより、曝気槽３からパイプ１６に排出される溶液の全窒素（Ｔ−Ｎ）濃度を７乃至１０ｐｐｍに低減させることが可能となる。なお、脱窒が終了した脱窒槽４の上部の溶液を、流動床式バイオリアクター槽２に戻してもよい。
【実施例】
【００３４】
次に、実施例及び比較例を挙げて実施の形態をより具体的に説明するが、実施の形態はその要旨を超えない限り、以下の実施例に限定されるものではない。
【００３５】
（実施例１）
実施例１においては、図４に示す排水処理装置と同様の装置を用いた。分散菌槽１の容積は４００ｍＬであり、アルカリゲネス（Ａｌｃａｌｉｇｅｎｅｓ）属及びアシネトバクター（Ａｃｉｎｅｔｏｂａｃｔｏｒ）属を含む活性汚泥が投入された。また、分散菌槽１に導入される有機物含有溶液として、ＢＯＤが８００ｍｇ／Ｌであり、ＣＯＤ（ｃｒ）が１３８０ｍｇ／Ｌであり、全有機炭素（ＴＯＣ：Ｔｏｔａｌ  Ｏｒｇａｎｉｃ  Ｃａｒｂｏｎ）が３００ｍｇ／Ｌである塗料排水を用いた。塗料排水は、分散菌槽１に２．５Ｌ／日で導入された。この場合、分散菌槽１のＢＯＤ容積負荷は、５ｋｇ−ＢＯＤ／ｍ3・日である。分散菌槽１内の溶液は、Ｌ字型の塩ビ製パイプにφ２ｍｍの孔を開けた散気管を用いて、４Ｌ／分で曝気した。また、バルキング防止剤供給装置４０から、分散菌槽１における濃度が１ｍｇ／Ｌになるよう、バルキング防止剤（日鉄環境エンジニアリング株式会社製  バルヒビター「ＫＥＬ２２５」）を供給した。
【００３６】
流動床式バイオリアクター槽２の容積は２．７Ｌであり、内径が３ｃｍであった。また、流動床式バイオリアクター槽２において、溶液の液面の高さは３．８ｍとなるよう設定した。さらに、流動床式バイオリアクター槽２には、平均粒径が０．５ｍｍである活性炭を９００ｍＬ投入した。活性炭には、ヒュードモナス属(Ｐｓｅｕｄｏｍｏｎａｓ)、バチルス属(Ｂａｃｉｌｌｕｓ)、及びズーグレア属（Ｚｏｏｇｌｏｅａ）等のバクテリア、並びに原生動物等の微生物が付着していた。曝気槽３の容積は１Ｌであった。曝気槽３で０．１５Ｌ／分の速度で溶液を曝気し、曝気された溶液を吸引ポンプ２２で流動床式バイオリアクター槽２の底部に供給し、流動床式バイオリアクター槽２の内部に上向きの溶液の流れを形成させた。流動床式バイオリアクター槽２の内部における溶液の流れの速さは１６ｍ／時であった。活性炭の初期展開高さは１９０ｃｍであった。また、流動床式バイオリアクター槽２の底部における溶存酸素濃度は７ｐｐｍであり、流動床式バイオリアクター槽２の上部における溶存酸素濃度は４乃至５ｐｐｍであった。
【００３７】
上記条件で、４か月間、停止することなく連続して溶液を処理し続けた。その結果、パイプ１６から放流された処理済み溶液の水質は、表１に示すように良好であった。また、４か月後の活性炭の展開高さは２１０ｃｍであり、４か月前と比較して２０ｃｍ程度の上昇にとどまった。なお、全有機炭素（ＴＯＣ）及び全窒素（Ｔ−Ｎ）は、溶液を遠心分離（１５００ｒｐｍ＊１５分間）し、菌体が除去された上澄み液をＴＯＣ計（島津製作所製）にかけて測定した。全有機炭素（ＴＯＣ）及び全窒素（Ｔ−Ｎ）の測定方法は、以下の実施例においても同様である。
【００３８】
（比較例１）
比較例１においては、図２に示すように、分散菌槽を有さない排水処理装置を用いた。分散菌槽を有さない点以外は、実施例１と同様の条件で溶液を処理した。なお、流動床式バイオリアクター槽２の底部における溶存酸素濃度は、実施例１と同様に７ｐｐｍとしたが、流動床式バイオリアクター槽２の上部における溶存酸素濃度は１乃至２ｐｐｍとなった。溶液を処理した結果、活性炭に付着した菌体の量の増加が著しく、活性炭の展開高さが約３ケ月で３．８ｍまで上昇し、流動床式バイオリアクター槽２から活性炭が溢流してしまった。
【表１】
2011092811.tif 000003
【００３９】
（実施例２）
実施例１において、図４に示す分散菌槽１にバルキング防止剤を投入しなかった場合、運転を開始して約５０乃至６０日を経過した頃に、分散菌槽１に糸状菌が多量に発生するとともに、流動床式バイオリアクター槽２にも糸状菌が成長し、活性炭の展開高さが３ｍまで急上昇した。そこで、バルヒビター「ＫＥＸ２５０」を２０ｐｐｍ程度、分散菌槽１へ投入すると糸状菌は消失し、その後、流動床式バイオリアクター槽２における活性炭の展開高さも２．１ｍと糸状菌が発生する前の展開高さに戻った。なお、バルキング防止剤を添加せずに運転しても、約５０日の間は、糸状菌の発生による展開高さの上昇はなかった。したがって、運転期間によっては、バルキング防止剤は必須ではない。
【表２】
2011092811.tif 000004
【００４０】
（実施例３）
実施例３においては、図５に示す排水処理装置と同様の装置を用いた。分散菌槽１には、実施例１と同じ溶液を２．５Ｌ／日導入した。また、分散菌槽１、流動床式バイオリアクター槽２、及び曝気槽３は、実施例１と同じ装置を同じ条件で用いた。容積が１Ｌであり、内径６．７ｃｍである塩ビ製円筒からなる脱窒槽４において、溶液の液面高さは２８ｃｍとなるよう設定した。また、脱窒槽４には、１０ｍｍ角のウレタンスポンジ（アキレス株式会社ＳＱＡ）を、ヒュードモナス属（Ｐｓｅｕｄｏｍｏｎａｓ）等の脱窒菌の担体として５００ｍＬ投入した。
【００４１】
脱窒槽４には、流動床式バイオリアクター槽２の上方から酸素濃度の低い溶液を５．５Ｌ／日導入した。また、分散菌槽１で処理される前の溶液の一部を、脱窒槽４に０．４Ｌ／日導入した。さらに、脱窒槽４における溶液の滞留時間は４時間となるよう設定した。  酸化還元電位は−２００ｍＶであった。脱窒槽４の上方には、オリエンタルモーターに接続された回転板を備える攪拌手段６１を設置し、１回転／１０秒で脱窒槽４内の溶液を撹拌した。脱窒された溶液は、曝気槽３に戻した。
【００４２】
上記条件で約４ケ月間、停止することなく連続して溶液を処理し続けた。その結果、パイプ１６から放流された処理済み溶液の水質は、表３に示すように良好であった。また、４か月後の活性炭の展開高さは２００ｃｍであり、４か月前と比較して１０ｃｍ程度の上昇にとどまった。
【００４３】
（実施例４）
図５に示す排水処理装置の分散菌槽１に、実施例１と同じ溶液を３．８Ｌ／日導入した。この場合、分散菌槽１のＢＯＤ容積負荷は７．５ｋｇ−ＢＯＤ／ｍ3・日であった。これ以外は、実施例３と同様の条件で、約３ケ月間、停止することなく連続して溶液を処理し続けた。その結果、パイプ１６から放流された処理済み溶液の水質は、表３に示すように、実施例３と同様に良好であった。また、約３か月後の活性炭の展開高さは２２０ｃｍであり、３か月前と比較して３０ｃｍ程度の上昇にとどまった。
【表３】
2011092811.tif 000005
【符号の説明】
【００４４】
１     分散菌槽
２     流動床式バイオリアクター槽
３     曝気槽
４     脱窒槽
１１，１２，１３，１４，１５，１６，１７，１８，１９，５１     パイプ
２１，２３    酸素供給ブロワ
２２，２４    吸引ポンプ
３０   粒子分散層
４０   バルキング防止剤供給装置
６１   攪拌手段
【図１】
2011092811.tif 000006
【図２】
2011092811.tif 000007
【図３】
2011092811.tif 000008
【図４】
2011092811.tif 000009
【図５】
2011092811.tif 000010